【手続補正書】
【提出日】平成28年4月28日(2016.4.28)
【手続補正１】
【補正対象書類名】明細書
【補正対象項目名】発明の名称
【補正方法】変更
【補正の内容】
【発明の名称】画像形成システム、画像形成装置、記憶装置、その制御方法及びプログラム
【手続補正２】
【補正対象書類名】明細書
【補正対象項目名】０００２
【補正方法】変更
【補正の内容】
【０００２】
本発明は、画像形成システム、画像形成装置、記憶装置、その制御方法及びプログラムに関する。
【手続補正３】
【補正対象書類名】明細書
【補正対象項目名】０００７
【補正方法】変更
【補正の内容】
【０００７】
本発明は、画像形成装置がオフライン状態の場合に不要なデータの送信を減ずることが可能な仕組みを提供することを目的とする。
【手続補正４】
【補正対象書類名】明細書
【補正対象項目名】０００８
【補正方法】変更
【補正の内容】
【０００８】
本発明は、印刷データを記憶する記憶装置と通信可能に接続された画像形成装置であって、前記記憶装置に記憶された印刷データの印刷指示を受け付ける印刷指示受付手段と、自機画像形成装置が、前記記憶装置に印刷データにかかる要求をする通信が可能であり印刷データを受信して印刷することができない状態であるオフライン状態か否かを判定する判定手段と、印刷指示受付手段により印刷指示を受け付けた状態であって、前記判定手段で、自機画像形成装置が前記オフライン状態であると判定した場合には、前記記憶装置に対して前記印刷指示受付手段で印刷指示を受け付けた印刷データを要求することなく、自機画像形成装置が印刷データを受信して印刷できるオンライン状態であると判定した場合に、前記記憶装置に対して前記印刷指示受付手段で印刷指示を受け付けた印刷データを要求する要求手段と、前記要求手段で要求した印刷データを、前記記憶装置より受信して取得する取得手段と、前記取得手段で前記記憶装置より取得した印刷データを印刷する印刷手段と、を備えることを特徴とする。
【手続補正５】
【補正対象書類名】明細書
【補正対象項目名】０００９
【補正方法】変更
【補正の内容】
【０００９】
本発明によれば、画像形成装置がオフライン状態の場合に不要なデータの送信を減ずることが可能な仕組みを提供することが出来る。
【手続補正６】
【補正対象書類名】特許請求の範囲
【補正対象項目名】全文
【補正方法】変更
【補正の内容】
【特許請求の範囲】
【請求項１】
印刷データを記憶する記憶装置と通信可能に接続された画像形成装置であって、
前記記憶装置に記憶された印刷データの印刷指示を受け付ける印刷指示受付手段と、
自機画像形成装置が、前記記憶装置に印刷データにかかる要求をする通信が可能であり印刷データを受信して印刷することができない状態であるオフライン状態か否かを判定する判定手段と、
印刷指示受付手段により印刷指示を受け付けた状態であって、前記判定手段で、自機画像形成装置が前記オフライン状態であると判定した場合には、前記記憶装置に対して前記印刷指示受付手段で印刷指示を受け付けた印刷データを要求することなく、自機画像形成装置が印刷データを受信して印刷できるオンライン状態であると判定した場合に、前記記憶装置に対して前記印刷指示受付手段で印刷指示を受け付けた印刷データを要求する要求手段と、
前記要求手段で要求した印刷データを、前記記憶装置より受信して取得する取得手段と、
前記取得手段で前記記憶装置より取得した印刷データを印刷する印刷手段と、
を備えることを特徴とする画像形成装置。
【請求項２】
印刷データを受信した場合に当該印刷データを自機画像形装置の備える前記記憶装置に記憶する印刷データ記憶手段と、
前記印刷指示受付手段で印刷指示を受け付けた印刷データが、自機画像形成装置の備える前記記憶装置に記憶されているか判定する記憶判定手段と、
を更に備え、
前記取得手段は、前記記憶判定手段により前記印刷指示受付手段で印刷指示を受け付けた印刷データが自機画像形成装置における前記記憶装置に記憶されていると判定された場合に、前記記憶装置から当該印刷データを取得し、
前記印刷手段は、前記記憶判定手段により前記印刷指示受付手段で印刷指示を受け付けた印刷データが自機画像形成装置の備える前記記憶装置に記憶されていると判定された場合に、前記取得手段により前記記憶装置から取得した前記印刷データを印刷することを特徴とする請求項１に記載の画像形成装置。
【請求項３】
自機画像形成装置の表示画面に表示する、前記印刷手段で印刷する印刷データの選択及び印刷指示を受け付けるための、前記印刷データを示す書誌情報の一覧を要求する一覧要求手段と
を備え、
前記一覧要求手段は、前記判定手段で、自機画像形成装置がオフライン状態であると判定した場合に、前記一覧を要求することなく、自機画像形成装置がオフライン状態でないと判定した場合に、前記一覧を要求することを特徴とする請求項１又は２に記載の画像形成装置。
【請求項４】
前記記憶装置は、前記画像形成装置と接続可能な他の画像形成装置が備える記憶装置が印刷データを記憶する記憶装置であり、前記画像形成装置は、複数の他の画像形成装置と接続可能であって、
前記画像形成装置は、
印刷データの受け付けに応じて、前記印刷データと当該印刷データの書誌情報を自機画像形成装置の前記記憶装置に記憶させる記憶制御手段と、
当該記憶制御手段により印刷データが記憶されたことを通知する先の画像形成装置であって、いずれのユーザの印刷データがいずれの画像形成装置に記憶されているかを示すネーム情報を記憶する他の画像形成装置の情報を記憶する通知先情報記憶手段と、
当該記憶制御手段により印刷データが記憶されたことを前記通知先の画像形成装置に通知するべく、自機画像形成装置を特定するための特定情報を当該通知先の画像形成装置に送信する画像形成装置情報送信手段と、
他の画像形成装置の記憶装置に記憶されている印刷データを印刷するために、前記通知先情報記憶手段に記憶されている通知先の画像形成装置に自機画像形成装置にログインしているユーザのユーザ情報を送信することで、当該ユーザの印刷データが記憶されている記憶装置を備える画像形成装置の一覧を要求する画像形成装置情報要求手段と、
前記画像形成装置の一覧要求に従って、当該印刷データの記憶先である記憶装置を備える画像形成装置の一覧を受信する画像形成装置一覧受信手段と、
を備え、
前記一覧要求手段は、受信した画像形成装置の一覧に対応する画像形成装置に対して、印刷データの書誌情報の一覧を要求することを特徴とする請求項３に記載の画像形成装置。
【請求項５】
印刷データを記憶する記憶装置と通信可能に接続された画像形成装置の制御方法であって、
前記記憶装置に記憶された印刷データの印刷指示を受け付ける印刷指示受付工程と、
自機画像形成装置が、前記記憶装置に印刷データにかかる要求をする通信が可能であり印刷データを受信して印刷することができない状態であるオフライン状態か否かを判定する判定工程と、
印刷指示受付工程により印刷指示を受け付けた状態であって、前記判定工程で、自機画像形成装置が前記オフライン状態であると判定した場合には、前記記憶装置に対して前記印刷指示受付工程で印刷指示を受け付けた印刷データを要求することなく、自機画像形成装置が印刷データを受信して印刷できるオンライン状態であると判定した場合に、前記記憶装置に対して前記印刷指示受付工程で印刷指示を受け付けた印刷データを要求する要求工程と、
前記要求工程で要求した印刷データを、前記記憶装置より受信して取得する取得工程と、
前記取得工程で前記記憶装置より取得した印刷データを印刷する印刷工程と、
を含むことを特徴とする画像形成装置の制御方法。
【請求項６】
印刷データを記憶する記憶装置と通信可能に接続された画像形成装置で実行が可能なプログラムであって、
前記画像形成装置を、
前記記憶装置に記憶された印刷データの印刷指示を受け付ける印刷指示受付手段と、
自機画像形成装置が、前記記憶装置に印刷データにかかる要求をする通信が可能であり印刷データを受信して印刷することができない状態であるオフライン状態か否かを判定する判定手段と、
印刷指示受付手段により印刷指示を受け付けた状態であって、前記判定手段で、自機画像形成装置が前記オフライン状態であると判定した場合には、前記記憶装置に対して前記印刷指示受付手段で印刷指示を受け付けた印刷データを要求することなく、自機画像形成装置が印刷データを受信して印刷できるオンライン状態であると判定した場合に、前記記憶装置に対して前記印刷指示受付手段で印刷指示を受け付けた印刷データを要求する要求手段と、
前記要求手段で要求した印刷データを、前記記憶装置より受信して取得する取得手段と、
前記取得手段で前記記憶装置より取得した印刷データを印刷する印刷手段として機能させることを特徴とする画像形成装置のプログラム。
【請求項７】
画像形成装置と通信可能に接続された、印刷データを記憶する記憶装置であって、
前記画像形成装置より、印刷データにかかる要求を受け付ける要求受付手段と、
前記要求受付手段で受け付けた要求の要求元の前記画像形成装置が、前記記憶装置に印刷データにかかる要求をする通信が可能であり印刷データを受信して印刷することができない状態であるオフライン状態であるか否かを判定する判定手段と、
前記判定手段で、前記画像形成装置が前記オフライン状態であると判定した場合に、前記印刷データを当該画像形成装置に送信することなく、当該画像形成装置が印刷データを受信して印刷することができるオンライン状態であると判定した場合に、前記印刷データを当該画像形成装置に送信する送信手段と、
を備えることを特徴とする記憶装置。
【請求項８】
画像形成装置と通信可能に接続された、印刷データを記憶する記憶装置の制御方法であって、
前記画像形成装置より、印刷データにかかる要求を受け付ける要求受付工程と、
前記要求受付工程で受け付けた要求の要求元の前記画像形成装置が、前記記憶装置に印刷データにかかる要求をする通信が可能であり印刷データを受信して印刷することができない状態であるオフライン状態であるか否かを判定する判定工程と、
前記判定工程で、前記画像形成装置が前記オフライン状態であると判定した場合に、前記印刷データを当該画像形成装置に送信することなく、当該画像形成装置が印刷データを受信して印刷することができるオンライン状態であると判定した場合に、前記印刷データを当該画像形成装置に送信する送信工程と、
を含むことを特徴とする記憶装置の制御方法。
【請求項９】
画像形成装置と通信可能に接続された、印刷データを記憶する記憶装置で実行が可能なプログラムであって、
前記記憶装置を、
前記画像形成装置より、印刷データにかかる要求を受け付ける要求受付手段と、
前記要求受付手段で受け付けた要求の要求元の前記画像形成装置が、前記記憶装置に印刷データにかかる要求をする通信が可能であり印刷データを受信して印刷することができない状態であるオフライン状態であるか否かを判定する判定手段と、
前記判定手段で、前記画像形成装置が前記オフライン状態であると判定した場合に、前記印刷データを当該画像形成装置に送信することなく、当該画像形成装置が印刷データを受信して印刷することができるオンライン状態であると判定した場合に、前記印刷データを当該画像形成装置に送信する送信手段として機能させることを特徴とする記憶装置のプログラム。
【請求項１０】
印刷データを記憶する記憶装置と、画像形成装置とが通信可能に接続された画像形成システムであって、
前記画像形成装置は、
前記記憶装置に記憶された印刷データの印刷指示を受け付ける印刷指示受付手段と、
自機画像形成装置が、前記記憶装置に印刷データにかかる要求をする通信が可能であり印刷データを受信して印刷することができない状態であるオフライン状態か否かを判定する判定手段と、
印刷指示受付手段により印刷指示を受け付けた状態であって、前記判定手段で、自機画像形成装置が前記オフライン状態であると判定した場合には、前記記憶装置に対して前記印刷指示受付手段で印刷指示を受け付けた印刷データを要求することなく、自機画像形成装置が印刷データを受信して印刷可能なオンライン状態であると判定した場合に、前記記憶装置に対して前記印刷指示受付手段で印刷指示を受け付けた印刷データを要求する要求手段と、
を備え、
前記記憶装置は、
前記要求手段による前記印刷データの要求を受け付ける要求受付手段と、
前記要求受付手段で受け付けた要求に従って、要求された印刷データを前記画像形成装置に受信させるべく送信する送信手段と、
を備えることを特徴とする画像形成システム。
【請求項１１】
印刷データを記憶する記憶装置と、画像形成装置とが通信可能に接続された画像形成システムの制御方法であって、
前記画像形成装置において、
前記記憶装置に記憶された印刷データの印刷指示を受け付ける印刷指示受付工程と、
自機画像形成装置が、前記記憶装置に印刷データにかかる要求をする通信が可能であり印刷データを受信して印刷することができない状態であるオフライン状態か否かを判定する判定工程と、
印刷指示受付工程により印刷指示を受け付けた状態であって、前記判定工程で、自機画像形成装置が前記オフライン状態であると判定した場合には、前記記憶装置に対して前記印刷指示受付工程で印刷指示を受け付けた印刷データを要求することなく、自機画像形成装置が印刷データを受信して印刷可能なオンライン状態であると判定した場合に、前記記憶装置に対して前記印刷指示受付工程で印刷指示を受け付けた印刷データを要求する要求工程と、
を含み、
前記記憶装置において、
前記要求工程による前記印刷データの要求を受け付ける要求受付工程と、
前記要求受付工程で受け付けた要求に従って、要求された印刷データを前記画像形成装置に受信させるべく送信する送信工程と、
を含むことを特徴とする画像形成システムの制御方法。
【請求項１２】
印刷データを記憶する記憶装置と、画像形成装置とが通信可能に接続された画像形成システムを制御するプログラムであって、
前記画像形成装置を、
前記記憶装置に記憶された印刷データの印刷指示を受け付ける印刷指示受付手段と、
自機画像形成装置が、前記記憶装置に印刷データにかかる要求をする通信が可能であり印刷データを受信して印刷することができない状態であるオフライン状態か否かを判定する判定手段と、
印刷指示受付手段により印刷指示を受け付けた状態であって、前記判定手段で、自機画像形成装置が前記オフライン状態であると判定した場合には、前記記憶装置に対して前記印刷指示受付手段で印刷指示を受け付けた印刷データを要求することなく、自機画像形成装置が印刷データを受信して印刷可能なオンライン状態であると判定した場合に、前記記憶装置に対して前記印刷指示受付手段で印刷指示を受け付けた印刷データを要求する要求手段として機能させ、
前記記憶装置を、
前記要求手段による前記印刷データの要求を受け付ける要求受付手段と、
前記要求受付手段で受け付けた要求に従って、要求された印刷データを前記画像形成装置に受信させるべく送信する送信手段として機能させることを特徴とするプログラム。